(57)【特許請求の範囲】
【請求項１】
胴部２の上端部に環状突条３を周設し、かつ頂壁４中央部を貫設させて噴出用ステム５を上方付勢状態で起立するエアゾール缶１と、
上記環状突条３へ嵌着させた周壁１１の左右両部から左右一対のカバー壁１２ａ、１２ｂを起立するカバー部材１０と、
上記噴出用ステム５上部へ嵌合させたステム嵌合筒２１を頂板２２中央部から垂設し、かつステム嵌合筒２１前面から頂板前半部を上壁とする射出筒２３を前方突設すると共に、頂板後部を下方へ垂下させてカバー部材周壁１１後部に連結した噴霧部材２０と、
上記射出筒前端部へ嵌合させたノズル３１下部からトリガー３２を垂設すると共に、該トリガー後部から破断可能な薄肉片３４を介してトリガー引寄せ防止板３５を突設して、該板を上記左右一対のカバー壁１２ａ、１２ｂ前面へ近接させたトリガー部材３０とを有し、
上記カバー部材１０と噴霧部材２０とを合成樹脂材で一体成形した
ことを特徴とするエアゾール式噴霧器。
【請求項２】
上記カバー部材周壁１１前部から第１ストッパ板１１ａを前方突設すると共に、トリガー３２下部から第２ストッパ板１１ｂを後方突設して、該第２ストッパ板上面を第１ストッパ板下面に近接させた
ことを特徴とする請求項１記載のエアゾール式噴霧器。
【発明の詳細な説明】
【０００１】
【発明の属する技術分野】
本発明は、噴霧をトリガー操作で行うエアゾール式噴霧器に関する。
【０００２】
【従来の技術】
エアゾール式噴霧器は、胴部の頂壁中央部を貫設させて噴出用ステムを上方付勢状態で起立し、かつ該噴出用ステム上部へノズル孔付きの押下げヘッドを嵌合させたものが一般で、押下げヘッドを押し下げるとノズル孔から霧状物等が噴出するようになっている。
【０００３】
【発明が解決しようとする課題】
上記のようなエアゾール式噴霧器では、片手で噴霧操作を行う場合に、押下げヘッドが押し下げにくいという問題があった。
【０００４】
請求項１記載の発明は、トリガーを設けることにより、エアゾール式噴霧器の片手による噴霧操作を容易にすると共に、トリガー引寄せ防止部材を設けることにより、流通経路におけるトリガー引寄せ防止を図る。
【０００５】
請求項２記載の発明は、請求項１記載の発明が有する解決課題を有するほか、第１及び第２ストッパ板を設けることにより、噴出後、トリガーが元の位置より上がり過ぎることを防止する。
【０００６】
【課題を解決するための手段】
第１の手段として、胴部２の上端部に環状突条３を周設し、かつ頂壁４中央部を貫設させて噴出用ステム５を上方付勢状態で起立するエアゾール缶１と、
上記環状突条３へ嵌着させた周壁１１の左右両部から左右一対のカバー壁１２ａ、１２ｂを起立するカバー部材１０と、
上記噴出用ステム５上部へ嵌合させたステム嵌合筒２１を頂板２２中央部から垂設し、かつステム嵌合筒２１前面から頂板前半部を上壁とする射出筒２３を前方突設すると共に、頂板後部を下方へ垂下させてカバー部材周壁１１後部に連結した噴霧部材２０と、
上記射出筒前端部へ嵌合させたノズル３１下部からトリガー３２を垂設すると共に、該トリガー後部から破断可能な薄肉片３４を介してトリガー引寄せ防止板３５を突設して、該板を上記左右一対のカバー壁１２ａ、１２ｂ前面へ近接させたトリガー部材３０とを有し、
上記カバー部材１０と噴霧部材２０とを合成樹脂材で一体成形した。
【０００７】
第２の手段として、第１の手段を有すると共に、上記カバー部材周壁１１前部から第１ストッパ板１１ａを前方突設すると共に、トリガー３２下部から第２ストッパ板１１ｂを後方突設して、該第２ストッパ板上面を第１ストッパ板下面に近接させた。
【０００８】
【発明の実施の形態】
以下、本発明に係るエアゾール式噴霧器の実施形態を図面を参照しながら説明する。
１はエアゾール缶で、胴部２の上端部を肩部を介して口頸部に形成し、該口頸部上端を巻締めて環状突部３に形成すると共に、口頸部上面を閉塞する頂壁４中央部を貫設させて噴出用ステム５を上方付勢状態で起立する。
【０００９】
１０はカバー部材で、環状突条３外面へ嵌着させた周壁１１の左右両部上端から左右一対のカバー壁１２ａ、１２ｂを起立する。
【００１０】
２０は噴霧部材で、噴出用ステム５の上部外面へ嵌合させたステム嵌合筒２１を、前後方向へ伸びる頂板２２中央部から垂設し、かつステム嵌合筒２１前面から頂板２２前半部を上壁とする射出筒２３を前方突設する。また、頂板２２後半部を後方へ湾曲する円弧状に形成して、該円弧状部の下端部を周壁１１の後部外面へ連結する。なお、該円弧状部の下端部は、これより上方の頂板２２部分よりもやや幅広に形成する。
【００１１】
３０はトリガー部材で、内外二重筒からなるノズル３１の内外両筒間の環状間隙内へ射出筒２３の前端部を嵌合させ、かつノズル前端部の下部からトリガー３２を垂設すると共に、該トリガー後部の左右方向中間部を支持板３３に形成して、該支持板後部から破断可能な薄肉片３４を介してトリガー引寄せ防止板３５を突設し、かつ該板を左右一対のカバー壁１２ａ、１２ｂ前面へ近接させる。
【００１２】
さらに、請求項２記載のように、周壁１１の前部上端から第１ストッパ板１１ａを前方突設すると共に、トリガー３２下端部から第２ストッパ板３２ａを後方突設して、該第２ストッパ板の後端部上面を第１ストッパ板１１ａ下面に近接させる。
なお、カバー部材１０と噴霧部材２０とを合成樹脂材で一体成形する。
【００１３】
次に本実施形態の作用について説明する。
ノズル３１から泡等を噴出させるには、トリガー３２を後方へ引き寄せればよいが、図１乃至図３に示すように、トリガー引寄せ防止板３５を除去する前の状態では該防止板がカバー壁１２ａ、１２ｂ前面に近接しているためトリガー引寄せは不能である。
【００１４】
トリガー３２の後方引寄せを可能にするためには、トリガー引寄せ防止板３５を左右いずれかの方向へ引っ張って薄肉片３４を破断させることで、トリガー引寄せ防止板３５を支持板３３から除去すればよい。
除去後、トリガー３２を後方へ引き寄せると、図４に示すように、頂板２２が下方へ弾性変形して噴出用ステム５を押し下げるためノズル３１から泡等が噴出する。
【００１５】
噴出後、トリガー３２を解放すると、該トリガーと頂板２２とは、噴出用ステム５のバネ力と頂板２２の弾性力とにより元の位置に復帰する。
なお、トリガー３２を解放すると、該トリガーは上記のように元の位置に復帰するが、トリガー引寄せ力や解放の状態によってはトリガーが元の位置を超えて上がる過ぎる場合があるが、請求項２記載のように、第１及び第２ストッパ板１１ａ、３２ａを設けておけば、第２ストッパ板が第１ストッパ板に下方から係合するためトリガー３２の上がり過ぎを防止することができる。
【００１６】
【発明の効果】
請求項１に係る発明は、トリガーを設けたので、トリガーを後方へ引き寄せることで射出筒から泡等を噴出させることができ、従って、エアゾール式噴霧器の片手による噴霧操作が容易になる。
また、トリガー引寄せ防止板を設けたので、流通経路におけるトリガー引寄せ防止が図れると共に、トリガー引寄せによる使用の事実が視認可能になる。
【００１７】
請求項２に係る発明は、第１及び第２ストッパ板を設けたので、噴出後、トリガーが元の位置を超えて上がり過ぎることが防止される。
【図面の簡単な説明】
【図１】本発明に係るエアゾール式噴霧器の要部を断面にした側面図。
【図２】同じく、側面図
【図３】同じく、図２の平面図。
【図４】同じく、作用説明図。
【符号の説明】
１  エアゾール缶
２  胴部
３  環状突部
４  頂壁
５  噴出用ステム
１０  カバー部材
１１  周壁
１２ａ、１２ｂ  カバー壁
２０  噴霧部材
２１  ステム嵌合筒
２２  頂板
２３  射出筒
３０  トリガー部材
３１  ノズル
３２  トリガー
３４  薄肉片
３５  トリガー引寄せ防止板
１１ａ  第１ストッパ板
３２ａ  第２ストッパ板
【図１】
0003725380.tif 000002
【図２】
0003725380.tif 000003
【図３】
0003725380.tif 000004
【図４】
0003725380.tif 000005